(57)【要約】【課題】デザイン性を損なうことなく詳細な動作状況をユーザに報知することができるカメラを提供する。【解決手段】デジタルカメラ２には、撮影レンズ１０を露呈させる開き位置と、撮影レンズ１０を覆って保護する閉じ位置との間でスライド移動するレンズバリア１５が設けられている。レンズバリア１５の中央付近には、デジタルカメラ２の機種名を表すロゴマーク１８が設けられている。ロゴマーク１８は、透光性を有する透光板で構成されている。カメラ本体４の内部には、レンズバリア１５が開き位置に移動した際にロゴマーク１８と対面するＬＥＤが設けられている。ＬＥＤは、内側から透光板を照明することにより、ロゴマーク１８を発光させる。デジタルカメラ２は、動作状況に応じてロゴマーク１８の発光状態を変化させることで、ユーザへの報知を行う。【選択図】図１
2008134438.tif 000002
【特許請求の範囲】
【請求項１】
被写体像を結像する撮影レンズが設けられた本体と、前記撮影レンズを覆う閉じ位置と前記撮影レンズを露呈させる開き位置との間で移動自在に前記本体に取り付けられたレンズバリアとを備えたカメラにおいて、
前記レンズバリアに形成されたロゴマークと、
前記ロゴマークを発光させる光源と、
一定の状態で前記ロゴマークを発光させるイルミネーション発光モードと、所定の動作状況になった際に前記イルミネーション発光モードとは異なる状態で前記ロゴマークを発光させる動作別発光モードとで前記ロゴマークの発光状態を変化させる発光制御手段とを設けたことを特徴とするカメラ。
【請求項２】
前記ロゴマークは、ロゴの形状に前記レンズバリアを切り抜いた切り抜き部と、この切り抜き部に嵌め込まれる透光部材とからなり、
前記光源は、前記本体の内部に設けられ、内側から前記透光部材に光を照射することによって前記ロゴマークを発光させることを特徴とする請求項１記載のカメラ。
【請求項３】
前記透光部材は、透光性を有するとともに、光拡散性を有することを特徴とする請求項２記載のカメラ。
【請求項４】
前記光源は、前記レンズバリアが前記開き位置に移動した際に前記透光部材と対面する開き位置用照射部と、前記レンズバリアが前記閉じ位置に移動した際に前記透光部材と対面する閉じ位置用照射部とを有することを特徴とする請求項２又は３記載のカメラ。
【請求項５】
レリーズボタンの操作から一定時間経過後に撮影を実行するセルフタイマー撮影モードの際に、前記一定時間を計時するタイマーを有し、
前記動作別発光モードには、前記タイマーが起動した際に前記ロゴマークの発光状態を変化させることで、前記タイマーの起動を報知するセルフタイマー報知モードが含まれることを特徴とする請求項１から４のいずれか１項に記載のカメラ。
【請求項６】
前記撮影レンズのフォーカスを自動で調整するオートフォーカス処理を行うオートフォーカス処理手段を有し、
前記動作別発光モードには、前記オートフォーカス処理が行われた際に前記ロゴマークの発光状態を変化させることで、前記撮影レンズの合焦を報知するオートフォーカス報知モードが含まれることを特徴とする請求項１から５のいずれか１項に記載のカメラ。
【請求項７】
前記撮影レンズが結像した前記被写体像を撮像して前記被写体像に応じた画像データを取得する撮像素子と、前記画像データの解析を行って前記画像データから被写体の顔を抽出する顔抽出手段とを有し、
前記動作別発光モードには、前記顔抽出手段によって被写体の顔が抽出された際に前記ロゴマークの発光状態を変化させることで、前記顔の抽出を報知する顔抽出報知モードが含まれることを特徴とする請求項１から６のいずれか１項に記載のカメラ。
【請求項８】
前記動作別発光モードには、接写撮影を行うマクロ撮影モードが設定された際に、前記イルミネーションモードよりも高い光量で前記ロゴマークを発光させることで、前記ロゴマークの発光をマクロ撮影用の照明として用いるマクロ撮影発光モードが含まれることを特徴とする請求項１から７のいずれか１項に記載のカメラ。
【請求項９】
前記動作別発光モードには、前記光源に電力を供給するバッテリを充電している際に前記バッテリの充電量に応じて前記ロゴマークの発光状態を変化させることで、前記バッテリの充電状況を報知する充電状況報知モードが含まれることを特徴とする請求項１から８のいずれか１項に記載のカメラ。
【請求項１０】
前記動作別発光モードには、前記光源に電力を供給するバッテリの残容量に応じて前記ロゴマークの発光状態を変化させることで、前記バッテリの残容量を報知する残容量報知モードが含まれることを特徴とする請求項１から９のいずれか１項に記載のカメラ。
【請求項１１】
前記発光制御手段は、電源のＯＦＦが設定された際に、前記残容量報知モードで前記ロゴマークを発光させることを特徴とする請求項１０記載のカメラ。
【請求項１２】
前記レンズバリアが前記開き位置に移動した際に電源がＯＮに設定され、前記レンズバリアが前記閉じ位置に移動した際に電源がＯＦＦに設定されることを特徴とする請求項１から１１のいずれか１項に記載のカメラ。
【請求項１３】
前記ロゴマークの発光状態の変化が、点滅、発光色の変化、光量の変化のいずれかであることを特徴とする請求項１から１２のいずれか１項に記載のカメラ。
【請求項１４】
前記ロゴマークが、機種名を表すものであることを特徴とする請求項１から１３のいずれか１項に記載のカメラ。
【発明の詳細な説明】
【技術分野】
【０００１】
本発明は、レンズバリアを備えたカメラに関する。
【背景技術】
【０００２】
撮影レンズを覆う閉じ位置と撮影レンズを露呈させる開き位置との間でスライド移動するレンズバリアを備えたカメラが知られている（例えば、特許文献１参照）。こうしたスライド式のレンズバリアは、撮影レンズを適切に保護し、着脱式のキャップなどと違って紛失などの心配もないことから、カメラ本体に固定された埋め込み式の撮影レンズや沈胴式の撮影レンズなどを備えたコンパクトタイプのカメラなどに好ましく用いられている。
【０００３】
スライド式のレンズバリアを備えたカメラの中には、レンズバリアの移動に応じて電源のＯＮ／ＯＦＦを切り替えたり、カメラの動作モードを切り替えたりすることで、操作性の向上を図ったものがある。ところが、カメラの動作モードの切り替えをレンズバリアの移動によって行うと、どの動作モードに設定されているかが分かりづらく、撮影時に設定を誤り易いという問題がある。このため、特許文献１記載のカメラでは、設定されている動作モードを表示する表示窓をレンズバリアに設け、カメラがどの動作モードに設定されているかを容易に認識できるようにしている。
【特許文献１】特開２００３−１８６０８０号公報
【発明の開示】
【発明が解決しようとする課題】
【０００４】
しかしながら、カメラの顔となるレンズバリアに表示窓などを設けると、見栄えが悪く、デザイン性を損なわせてしまうという問題がある。多種多様な機種のカメラが販売されている近年においては、デザインもユーザの購買意欲を煽る重要な要素の一つであり、店頭販売時などにアピール度の高いデザインが望まれている。
【０００５】
また、カメラは、高機能化が進められており、一つの動作モードの中にも様々な動作状況が含まれるようになってきている。こうした詳細な動作状況をユーザに報知できるようにしたいという要望も多いが、動作状況の報知を表示窓によって実現することは難しい。
【０００６】
本発明は、上記課題を鑑みてなされたものであって、デザイン性を損なうことなく詳細な動作状況をユーザに報知することができるカメラを提供することを目的とする。
【課題を解決するための手段】
【０００７】
上記目的を達成するため、本発明のカメラは、被写体像を結像する撮影レンズが設けられた本体と、前記撮影レンズを覆う閉じ位置と前記撮影レンズを露呈させる開き位置との間で移動自在に前記本体に取り付けられたレンズバリアと、前記レンズバリアに形成されたロゴマークと、前記ロゴマークを発光させる光源と、一定の状態で前記ロゴマークを発光させるイルミネーション発光モードと、所定の動作状況になった際に前記イルミネーション発光モードとは異なる状態で前記ロゴマークを発光させる動作別発光モードとで前記ロゴマークの発光状態を変化させる発光制御手段とを設けたことを特徴とする。
【０００８】
なお、前記ロゴマークは、ロゴの形状に前記レンズバリアを切り抜いた切り抜き部と、この切り抜き部に嵌め込まれる透光部材とからなり、前記光源は、前記本体の内部に設けられ、内側から前記透光部材に光を照射することによって前記ロゴマークを発光させることが好ましい。この際、前記透光部材は、透光性を有するとともに、光拡散性を有することが好ましい。
【０００９】
また、前記光源は、前記レンズバリアが前記開き位置に移動した際に前記透光部材と対面する開き位置用照射部と、前記レンズバリアが前記閉じ位置に移動した際に前記透光部材と対面する閉じ位置用照射部とを有することが好ましい。
【００１０】
さらに、レリーズボタンの操作から一定時間経過後に撮影を実行するセルフタイマー撮影モードの際に、前記一定時間を計時するタイマーを有し、前記動作別発光モードには、前記タイマーが起動した際に前記ロゴマークの発光状態を変化させることで、前記タイマーの起動を報知するセルフタイマー報知モードが含まれることが好ましい。
【００１１】
なお、前記撮影レンズのフォーカスを自動で調整するオートフォーカス処理を行うオートフォーカス処理手段を有し、前記動作別発光モードには、前記オートフォーカス処理が行われた際に前記ロゴマークの発光状態を変化させることで、前記撮影レンズの合焦を報知するオートフォーカス報知モードが含まれることが好ましい。
【００１２】
また、前記撮影レンズが結像した前記被写体像を撮像して前記被写体像に応じた画像データを取得する撮像素子と、前記画像データの解析を行って前記画像データから被写体の顔を抽出する顔抽出手段とを有し、前記動作別発光モードには、前記顔抽出手段によって被写体の顔が抽出された際に前記ロゴマークの発光状態を変化させることで、前記顔の抽出を報知する顔抽出報知モードが含まれることが好ましい。
【００１３】
さらに、前記動作別発光モードには、接写撮影を行うマクロ撮影モードが設定された際に、前記イルミネーションモードよりも高い光量で前記ロゴマークを発光させることで、前記ロゴマークの発光をマクロ撮影用の照明として用いるマクロ撮影発光モードが含まれることが好ましい。
【００１４】
なお、前記動作別発光モードには、前記光源に電力を供給するバッテリを充電している際に前記バッテリの充電量に応じて前記ロゴマークの発光状態を変化させることで、前記バッテリの充電状況を報知する充電状況報知モードが含まれることが好ましい。
【００１５】
また、前記動作別発光モードには、前記光源に電力を供給するバッテリの残容量に応じて前記ロゴマークの発光状態を変化させることで、前記バッテリの残容量を報知する残容量報知モードが含まれることが好ましい。
【００１６】
さらに、前記発光制御手段は、電源のＯＦＦが設定された際に、前記残容量報知モードで前記ロゴマークを発光させることが好ましい。
【００１７】
なお、前記レンズバリアが前記開き位置に移動した際に電源がＯＮに設定され、前記レンズバリアが前記閉じ位置に移動した際に電源がＯＦＦに設定されることが好ましい。
【００１８】
また、前記ロゴマークの発光状態の変化は、点滅、発光色の変化、光量の変化のいずれかであることが好ましい。
【００１９】
さらに、前記ロゴマークは、機種名を表すものであることが好ましい。
【発明の効果】
【００２０】
本発明のカメラによれば、レンズバリアにロゴマークを形成し、このロゴマークをイルミネーション発光モードと動作別発光モードとで発光させるようにしたので、デザイン性を損なうことなく詳細な動作状況をユーザに報知することができる。
【発明を実施するための最良の形態】
【００２１】
図１、及び図２に示すように、デジタルカメラ（カメラ）２は、略直方体状に形成されたカメラ本体４を有している。カメラ本体４の前面には、被写体像を結像する撮影レンズ１０と、撮影実行の際に被写体を照射するストロボ発光部１１とが設けられている。また、カメラ本体４の上面には、撮影実行を指示するレリーズボタン１２と、静止画撮影を行う静止画撮影モードと撮影した画像を再生表示する再生モードとを切り替えるためのモード切替スイッチ１３とが設けられている。
【００２２】
レリーズボタン１２は、２段階押しのスイッチとなっており、軽く押圧（半押し）すると、自動焦点調整（ＡＦ）や自動露出調整（ＡＥ）などの各種撮影準備処理が実施される。この半押しした状態からレリーズボタン１２をもう一度強く押圧（全押し）すると、カメラ本体４に撮影の実行が指示され、撮影準備処理が施された１画面分の撮像信号が画像データに変換される。
【００２３】
また、カメラ本体４には、撮影レンズ１０を露呈させる開き位置（図１に示す位置）と、撮影レンズ１０を覆って保護する閉じ位置（図２に示す位置）との間でスライド移動する略平板状のレンズバリア１５が取り付けられている。このレンズバリア１５は、デジタルカメラ２の電源スイッチの機能も兼ね備えている。デジタルカメラ２の電源は、レンズバリア１５が開き位置に移動した際にＯＮに設定され、レンズバリア１５が閉じ位置に移動した際にＯＦＦに設定される。なお、レンズバリア１５の各位置の検出は、例えば、リミットスイッチやフォトインタラプタなどといった周知のスイッチやセンサを用いればよい。
【００２４】
レンズバリア１５には、ストロボ発光部１１を露呈させるためのストロボ窓１６と、デジタルカメラ２の機種名を表すロゴマーク１８とが設けられている。ストロボ窓１６は、貫通孔状に形成され、レンズバリア１５が開き位置に移動した際に、ストロボ発光部１１と対面するように位置が合わせられている。これにより、レンズバリア１５が開き位置に移動することで、ストロボ窓１６を介してストロボ発光部１１が露呈される。また、ストロボ発光部１１は、レンズバリア１５が閉じ位置に移動すると、ストロボ窓１６との位置がずれ、レンズバリア１５に覆われる。
【００２５】
レンズバリア１５の中央付近に設けられたロゴマーク１８は、図３に示すように、ロゴの形状にレンズバリア１５を切り抜いた切り抜き部２０に、透光板（透光部材）２２を嵌め込むことによって構成される。透光板２２は、例えば、乳白色のアクリル樹脂や乳白色のエポキシ樹脂などといった透光性と光拡散性とを有する材料で成形されている。この透光板２２には、ロゴの形状に突出した突出部２２ａが形成されている。突出部２２ａの高さは、レンズバリア１５の切り抜き部２０部分の厚みに合わせられている。これにより、突出部２２ａを切り抜き部２０に嵌め込むことで、レンズバリア１５の前面と略面一にロゴマーク１８が形成される。なお、透光板２２は、例えば、接着や爪係止、あるいはネジ止めなどによってレンズバリア１５の背面に固定される。また、本実施形態では、透光部材として板状の透光板２２を示しているが、透光部材は、これに限ることなく、例えば、切り抜き部２０（ロゴ）の形状に応じたものでもよいし、ブロック状のものなどであってもよい。
【００２６】
図４に示すように、カメラ本体４の背面には、液晶パネル３０と操作部３１とが設けられている。液晶パネル３０には、撮影した画像や撮影時のいわゆるスルー画像、及び各種のメニュー画面などが表示される。操作部３１には、撮影レンズ１０を広角側もしくは望遠側に変倍するためのズーム操作ボタン３２、液晶パネル２０にメニュー画面を表示する際や選択内容を決定する際などに操作されるメニューボタン３３、メニュー画面内のカーソルを移動させる際などに操作される十字キー３４、メニュー画面の表示項目などを切り替えるための表示切替ボタン３５、デジタルカメラ２をセルフタイマー撮影モードに設定するためのセルフタイマー設定ボタン３６、デジタルカメラ２をマクロ撮影モードに設定するためのマクロ設定ボタン３７、及びデジタルカメラ２を顔抽出モードに設定するための顔抽出設定ボタン３８などが配設されている。
【００２７】
図５に示すように、カメラ本体４の内部には、デジタルカメラ２を制御するための様々な回路が構成された回路基板４０が設けられている。回路基板４０には、カメラ本体４の前面方向に光を照射するＬＥＤ（光源）４２が実装されている。ＬＥＤ４２は、レンズバリア１５が開き位置に移動した際に、ロゴマーク１８と対面するように位置が合わせられている（図５（ａ）参照）。ＬＥＤ４２は、レンズバリア１５が開き位置にある際に、内側から透光板２２を照明することで、ロゴマーク１８を発光させる。
【００２８】
ＬＥＤ４２の前方には、ＬＥＤ４２が照射した光を透光板２２に案内するライトパイプ４４が設けられている。ライトパイプ４４は、前面に向けて断面積を広げる略四角錐形状に形成されている。ＬＥＤ４２の照射光は、ライトパイプ４４内を全反射しながら透過し、透光板２２に照射される。ライトパイプ４４は、カメラ本体４内における照射光の無駄な散乱を防止することにより、ＬＥＤ４２の照射光を効率良く透光板２２に当てる。また、ライトパイプ４４は、照射光が内部を透過する際に、側面の傾斜に沿って照射光を拡散させることにより、透光板２２の全体に照射光を当てる。なお、このライトパイプ４４は、例えば、ポリカーボネイトなどの光学プラスチックやクラウンガラスなどの光学ガラスなどによって成形される。
【００２９】
透光板２２に照射されたＬＥＤ４２の照射光は、光拡散性を有する透光板２２でさらに拡散され、切り抜き部２０を介してデジタルカメラ２の外部に放出される。このように、透光板２２を透過させることで、ロゴマーク１８の全体を略均一な光量で発光させることができるようになる。デジタルカメラ２は、例えば、電源ＯＮの状態の際に、ロゴマーク１８を発光させることにより、デジタルカメラ２の機種名をアピールする。
【００３０】
また、図５（ｂ）に示すように、レンズバリア１５が閉じ位置にある際には、透光板２２がライトパイプ４４から完全に外れ、その全体がカメラ本体４の前面に覆われるようになる。これにより、レンズバリア１５が閉じ位置にある際には、ロゴマーク１８の発光が確実に防止されるようになる。
【００３１】
デジタルカメラ２の電気的構成の概略を図６に示す。撮影レンズ１０は、光軸Ｌに沿って配列されたズームレンズ５０、絞り５１、及びフォーカスレンズ５２によって構成されている。ズームレンズ５０には、レンズモータ５３が接続されている。レンズモータ５３は、ズーム操作ボタン３２の操作に連動して、ズームレンズ５０を広角側もしくは望遠側に移動させる。絞り５１には、アイリスモータ５４が接続されている。アイリスモータ５４は、レリーズボタン１２の半押しにともなう撮影準備処理の際に、絞り５１の開口面積を変化させてズームレンズ５０から入射する光の量を調節する。また、フォーカスレンズ５２には、レンズモータ５５が接続されている。レンズモータ５５は、ズームレンズ５０の変倍などにともなって、フォーカスレンズ５２を光軸方向に移動させることにより、撮影レンズ１０の焦点を至近側、もしくは無限遠側に調整する。
【００３２】
各モータ５３、５４、５５は、モータドライバ５６に接続されている。モータドライバ５６は、デジタルカメラ２を統括的に制御するＣＰＵ（発光制御手段）５７に接続されており、このＣＰＵ５７からの制御信号に基づいて各モータ５３、５４、５５に駆動パルスを送信する。各モータ５３、５４、５５は、この駆動パルスに応じて回転軸を回転駆動する。なお、各モータ５３、５４、５５には、例えば、ステッピングモータなどが用いられる。
【００３３】
撮影レンズ１０の背後には、撮影レンズ１０によって結像された被写体像を撮像するＣＣＤ（撮像素子）５８が配置されている。ＣＣＤ５８には、ＣＰＵ５７によって制御されるタイミングジェネレータ（ＴＧ）５９が接続され、このＴＧ５９から入力されるタイミング信号（クロックパルス）により、電子シャッタのシャッタ速度が決定される。
【００３４】
ＣＣＤ５８から出力された画像データは、相関二重サンプリング回路（ＣＤＳ）６０に入力され、ＣＣＤ５８の各セルの蓄積電荷量に正確に対応したＲ、Ｇ、Ｂの画像データとして出力される。ＣＤＳ６０から出力された画像データは、増幅器（ＡＭＰ）６１で増幅され、Ａ／Ｄ変換器（Ａ／Ｄ）６２でデジタルの画像データに変換される。
【００３５】
画像入力コントローラ６３は、バス６４を介してＣＰＵ５７に接続され、ＣＰＵ５７の制御命令に応じて、ＣＣＤ５８、ＣＤＳ６０、ＡＭＰ６１、及びＡ／Ｄ６２の各部を制御する。Ａ／Ｄ６２から出力された画像データは、ＳＤＲＡＭ６５に一時的に記録される。
【００３６】
画像信号処理回路６６は、ＳＤＲＡＭ６５から画像データを読み出して、階調変換、ホワイトバランス補正、γ補正処理などの各種画像処理を施し、この画像データを再度ＳＤＲＡＭ６５に記録する。ＹＣ変換処理回路６７は、画像信号処理回路６６で各種処理を施された画像データをＳＤＲＡＭ６５から読み出し、輝度信号Ｙと色差信号Ｃｒ、Ｃｂとに変換する。
【００３７】
ＶＲＡＭ６８は、液晶パネル３０にスルー画像を出力するためのメモリであり、画像信号処理回路６６、ＹＣ変換処理回路６７を経た画像データが格納される。このＶＲＡＭ６８には、画像データの書き込みと読み出しとを並行して行えるように、２フレーム分のメモリが確保されている。ＶＲＡＭ６８に格納された画像データは、ＬＣＤドライバ６９でアナログのコンポジット信号に変換され、液晶パネル３０にスルー画像として表示される。
【００３８】
圧縮伸長処理回路７０は、ＹＣ変換処理回路６７でＹＣ変換された画像データを、例えば、ＴＩＦＦやＪＰＥＧなどといった所定の圧縮形式で圧縮する。メディアコントローラ７１は、メディアスロットに着脱自在に装着されたメモリカード７２にアクセスして、圧縮された画像データの読み書きなどを行う。
【００３９】
ＣＰＵ４７には、レリーズボタン１２、モード切替スイッチ１３、操作部３１、ＥＥＰＲＯＭ７５、及びＬＥＤドライバ７６が接続されている。ＥＥＰＲＯＭ７５には、各種制御用のプログラムや設定情報などが記録されている。ＣＰＵ５７は、これらの情報をＥＥＰＲＯＭ７５から作業用メモリであるＳＤＲＡＭ６５に読み出して、各種の処理を実行する。
【００４０】
ＬＥＤドライバ７６は、ＬＥＤ４２に接続されている。ＬＥＤドライバ７６は、ＣＰＵ５７からの制御信号に応じてＬＥＤ４２に電圧を印加し、ＬＥＤ４２を点灯させる。これにより、ＣＰＵ５７によってＬＥＤ４２の点灯／消灯などが制御される。
【００４１】
また、ＬＥＤドライバ７６は、制御信号に応じてＬＥＤ４２の輝度や点滅周期などを調節することにより、様々な発光モードでロゴマーク１８を発光させる。ＣＰＵ５７は、デジタルカメラ２の動作状況に応じた制御信号をＬＥＤドライバ７６に送信することにより、その動作状況に応じた発光モードをＬＥＤドライバ７６に設定する。なお、ロゴマーク１８の発光モードには、例えば、電源のＯＮとともに一定の状態でロゴマーク１８を発光させるイルミネーション発光モードや、セルフタイマー撮影モードの際にロゴマーク１８を点滅発光させることでセルフタイマーの起動を報知するセルフタイマー報知モードなどがある。
【００４２】
また、バス６４には、上記の他に、ストロボ制御部８０、ＡＥ／ＡＷＢ検出回路８１、ＡＦ検出回路（オートフォーカス処理手段）８２、タイマー回路（タイマー）８３、及び顔抽出部（顔抽出手段）８４などが接続されている。なお、デジタルカメラ２に含まれるこれらの各回路などは、例えば、回路基板４０に実装された種々の電子部品などによって構成される。ストロボ制御部８０は、ＣＰＵ５７から送信されるストロボ発光信号に応じてストロボ発光部１１を発光させる。
【００４３】
ＡＥ／ＡＷＢ検出回路８１は、ＹＣ変換処理回路６７でＹＣ変換された画像データの輝度信号Ｙと色差信号Ｃｒ、Ｃｂとの積算値を基に、被写体の輝度を表す測光値を算出し、この算出結果をＣＰＵ５７に送信する。ＣＰＵ５７は、ＡＥ／ＡＷＢ検出回路８１から送信された測光値を基に、露出量、及びホワイトバランスの適否を判断し、絞り５１、及びＣＣＤ５８などの動作を制御する。
【００４４】
ＡＦ検出回路８２は、いわゆるコントラスト方式のＡＦ処理を行うためのものであり、Ａ／Ｄ６２でデジタル化された画像データから画像のコントラストを表すフォーカス評価値を算出して、この算出結果をＣＰＵ５７に送信する。フォーカス評価値は、画像の特定のエリア、例えば、撮影画像の中央部分の画像データを、ハイパスフィルタなどで輪郭抽出処理を施し、これにより抽出した輪郭信号、及び中央部分の画像データの輝度値を積算することで得られる。なお、フォーカス評価値は、大きい程その部分の高周波成分が多く、その部分が合焦状態にあることを表す。
【００４５】
ＣＰＵ５７は、レリーズボタン１２の半押しにともなう撮影準備処理の際に、レンズモータ５５を駆動して、フォーカスレンズ５２を至近から無限遠、もしくは無限遠から至近に向けて所定量ずつ移動させながら、各ポイントにおけるフォーカス評価値をＡＦ検出回路８２に算出させる。そして、フォーカス評価値が最大となるポイントを合焦位置として決定し、そのポイントにフォーカスレンズ５２を移動させることによってＡＦ処理を終了する。
【００４６】
タイマー回路８３は、セルフタイマー撮影モードなどが設定された際に、ＣＰＵ５７からの開始信号に応答して予め決められた一定時間の計時を開始し、計時が終了するまでの間、例えば、１秒などの周期でＣＰＵ５７に計時信号を送信する。ＣＰＵ５７は、タイマー回路８３からの計時信号を基に一定時間の経過を判断してＣＣＤ５８に撮影の実行を指示することにより、セルフタイマー撮影を行う。なお、セルフタイマー撮影の前記一定時間は、例えば、操作部３１などを介して任意に設定できるようにしておくことが好ましい。
【００４７】
顔抽出部８４は、ＣＰＵ５７から顔の抽出が指示された際に、ＳＤＲＡＭ６５、もしくはＶＲＡＭ６８に記録された画像データから被写体の顔を抽出する。画像データから顔を抽出した顔抽出部８４は、抽出した顔の位置情報などをＣＰＵ５７に送信する。ＣＰＵ５７は、例えば、顔抽出設定ボタン３８によって顔抽出モードが設定された際などに、顔抽出部８４に顔の抽出を指示する。また、顔抽出部８４に顔を抽出させたＣＰＵ５７は、受信した位置情報などを基に、例えば、顔部分に合わせた露出制御や、顔部分のデジタルズーム処理などを行う。なお、顔抽出部８４による顔の抽出には、周知のパターンマッチング技術を用いればよい。
【００４８】
次に、図７に示すフローチャートを参照しながら、上記構成によるデジタルカメラ２の作用について説明する。デジタルカメラ２は、レンズバリア１５を開き位置に移動させることで電源がＯＮに設定される。デジタルカメラ２のＣＰＵ５７は、電源がＯＮになると、ＬＥＤドライバ７６に制御信号を送信してＬＥＤドライバ７６にイルミネーション発光モードを設定する。イルミネーション発光モードが設定されたＬＥＤドライバ７６は、ＬＥＤ４２を点灯させ、一定の光量でロゴマーク１８を発光させる。
【００４９】
このようにロゴマーク１８を発光させることで、例えば、店頭販売の際などに、デジタルカメラ２の機種名をユーザにアピールすることができる。また、ロゴマーク１８をレンズバリア１５の中央付近に設けたので、撮影の際に、撮影者の指などによってロゴマーク１８が隠れてしまうこともない。なお、イルミネーション発光モードでは、一定の光量で発光させることに限らず、例えば、光量を周期的に変化させるようにしてもよい。すなわち、イルミネーション発光モードは、常時一定の発光状態でもよいし、周期的に一定の発光状態でもよいということである。
【００５０】
また、ＣＰＵ５７は、電源がＯＮになると、ロゴマーク１８を発光させるとともに、ＣＣＤ５８や液晶パネル３０などの駆動を開始し、液晶パネル３０にスルー画像を表示させる。ロゴマーク１８の発光やスルー画像の表示などを行ったＣＰＵ５７は、セルフタイマー設定ボタン３６によってセルフタイマー撮影モードが設定されたか否かを確認する。セルフ撮影モードが設定されていない通常の撮影モードの場合、ＣＰＵ５７は、レリーズボタン１２の半押しに応じた撮影準備処理の実行と、レリーズボタン１２の全押しに応じた撮影の実行とを、電源がＯＦＦになるまで繰り返す。
【００５１】
一方、セルフ撮影モードが設定された場合、ＣＰＵ５７は、レリーズボタン１２の全押しに応じてタイマー回路８３に開始信号を送信してタイマー回路８３を起動させ、タイマー回路８３に予め決められた一定時間の計時を開始させる。また、ＣＰＵ５７は、タイマー回路８３に開始信号を送信するとともに、セルフタイマー撮影モード用の制御信号をＬＥＤドライバ７６に送信し、ＬＥＤドライバ７６にセルフタイマー報知モードを設定する。セルフタイマー報知モードが設定されたＬＥＤドライバ７６は、ＬＥＤ４２の点灯と消灯とを繰り返してロゴマーク１８を点滅させることにより、タイマー回路８３が起動したことをユーザに報知する。
【００５２】
開始信号を受信したタイマー回路８３は、一定時間の計時を開始し、所定の周期で計時信号をＣＰＵ５７に送信する。ＣＰＵ５７は、タイマー回路８３からの計時信号を基に一定時間が経過したか否かを判断し、一定時間の経過とともに撮影を実行する。撮影を実行したＣＰＵ５７は、再びイルミネーション発光モードをＬＥＤドライバ７６に設定し、ロゴマーク１８を元の発光状態に戻す。また、ロゴマーク１８の発光は、レンズバリア１５を閉じ位置に移動させてデジタルカメラ２の電源をＯＦＦにすることで消灯される。
【００５３】
このように、ロゴマーク１８の発光状態を変化させることで、デザイン性を損なうことなくタイマー回路８３の起動をユーザに報知することができる。また、セルフタイマー用のタリーランプなどを別途設ける必要が無いので、部品点数の削減を図ることもできる。なお、本実施形態では、セルフタイマー報知モードが設定された際に、ロゴマーク１８を点滅させることによってタイマー回路８３が起動したことを報知するようにしているが、これに限ることなく、例えば、ロゴマーク１８（ＬＥＤ４２）の発光色を変えたり、ロゴマーク１８の光量を変えたりすることによって報知するようにしてもよい。
【００５４】
また、本実施形態では、一定時間の間、常に同じ周期でロゴマーク１８を点滅させるようにしているが、これに限ることなく、一定時間の間でロゴマーク１８の表示状態を数段階に変化させるようにしてもよい。例えば、タイマー回路８３からの計時信号に基いて時間が経過するほど点滅の周期を早くすることにより、タイマー回路８３が起動したことのみならず、撮影が実行されるタイミングをもユーザに報知することができる。
【００５５】
次に、図８に示すフローチャートを参照しながら、本発明の第２の実施形態について説明する。デジタルカメラ２は、レンズバリア１５を開き位置に移動させることで電源がＯＮに設定される。デジタルカメラ２のＣＰＵ５７は、電源がＯＮになると、ＬＥＤドライバ７６にイルミネーション発光モードを設定し、一定の光量でロゴマーク１８を発光させる。また、ＣＰＵ５７は、ロゴマーク１８を発光させるとともに、ＣＣＤ５８や液晶パネル３０などの駆動を開始し、液晶パネル３０にスルー画像を表示させる。
【００５６】
ロゴマーク１８の発光やスルー画像の表示などを行ったＣＰＵ５７は、レリーズボタン１２が半押しされたことに応じてＡＥ処理やＡＦ処理などといった撮影準備処理を実行する。撮影準備処理を実行したＣＰＵ５７は、ＡＦ処理によって撮影レンズ１０を被写体に合焦させると、ＡＦ用の制御信号をＬＥＤドライバ７６に送信し、ＬＥＤドライバ７６にＡＦ報知モードを設定する。
【００５７】
ＡＦ報知モードが設定されたＬＥＤドライバ７６は、ＬＥＤ４２の点灯と消灯とを制御することにより、一定時間だけロゴマーク１８を点滅させる。一定時間ロゴマーク１８を点滅させたＬＥＤドライバ７６は、発光モードをイルミネーション発光モードに設定し直し、ロゴマーク１８を元の発光状態に戻す。ＣＰＵ５７は、このようにロゴマーク１８を一定時間だけ点滅させることにより、撮影レンズ１０が被写体に合焦したことをユーザに報知する。
【００５８】
ＣＰＵ５７は、レリーズボタン１２が全押しされるまで、上記の半押しに係る撮影準備処理を繰り返す。そして、ＣＰＵ５７は、レリーズボタン１２が全押しされたことに応じて撮影を実行する。また、レリーズボタン１２の半押しと全押しとによる上記の各処理は、デジタルカメラ２がＯＮ状態にある間中繰り返される。ロゴマーク１８の発光は、レンズバリア１５を閉じ位置に移動させてデジタルカメラ２の電源をＯＦＦにすることで消灯される。
【００５９】
このように、ロゴマーク１８の発光状態を変化させることで、デザイン性を損なうことなく撮影レンズ１０が被写体に合焦したことをユーザに報知することができる。この際、ロゴマーク１８は、デジタルカメラ２の前面に設けられているので、撮影レンズ１０を撮影者自身に向ける、いわゆる自分撮りの際に、合焦したか否かが分かりやすく、特に有用である。また、専用のランプなどを別途設ける必要が無いので、部品点数の削減を図ることもできる。なお、ロゴマーク１８による報知は、点滅に限ることなく、前述のように、発光色を変えるものでもよいし、光量を変えるものでもよい。
【００６０】
次に、図９に示すフローチャートを参照しながら、本発明の第３の実施形態について説明する。デジタルカメラ２は、レンズバリア１５を開き位置に移動させることで電源がＯＮに設定される。デジタルカメラ２のＣＰＵ５７は、電源がＯＮになると、ＬＥＤドライバ７６にイルミネーション発光モードを設定し、一定の光量でロゴマーク１８を発光させる。また、ＣＰＵ５７は、ロゴマーク１８を発光させるとともに、ＣＣＤ５８や液晶パネル３０などの駆動を開始し、液晶パネル３０にスルー画像を表示させる。
【００６１】
ロゴマーク１８の発光やスルー画像の表示などを行ったＣＰＵ５７は、顔抽出設定ボタン３８によって顔抽出モードが設定されたか否かを確認する。顔抽出モードが設定されていない場合、ＣＰＵ５７は、レリーズボタン１２の半押しに応じた撮影準備処理の実行と、レリーズボタン１２の全押しに応じた撮影の実行とを、電源がＯＦＦになるまで繰り返す。
【００６２】
一方、顔抽出モードが設定された場合、ＣＰＵ５７は、顔抽出部８４に顔の抽出を指示する。抽出が指示された顔抽出部８４は、ＳＤＲＡＭ６５又はＶＲＡＭ６８に記録されたスルー画像用の画像データから被写体の顔を抽出する。画像データから顔を抽出した顔抽出部８４は、抽出した顔の位置情報などをＣＰＵ５７に送信する。なお、顔抽出部８４は、一度撮影が実行されるまで、もしくは顔抽出設定ボタン３８によって顔抽出モードが解除されるまで、スルー画像用の各フレームの画像データから顔の抽出を行う。
【００６３】
ＣＰＵ５７は、顔抽出部８４から最初の位置情報を受信すると、顔抽出用の制御信号をＬＥＤドライバ７６に送信し、顔抽出報知モードをＬＥＤドライバ７６に設定する。顔抽出報知モードが設定されたＬＥＤドライバ７６は、ＬＥＤ４２の点灯と消灯とを制御することにより、一定時間だけロゴマーク１８を点滅させる。一定時間ロゴマーク１８を点滅させたＬＥＤドライバ７６は、発光モードをイルミネーション発光モードに設定し直し、ロゴマーク１８を元の発光状態に戻す。ＣＰＵ５７は、このようにロゴマーク１８を一定時間だけ点滅させることにより、被写体の顔が抽出されたことをユーザに報知する。
【００６４】
ロゴマーク１８を点滅させたＣＰＵ５７は、レリーズボタン１２が半押しされたことに応じてＡＥ処理やＡＦ処理などといった撮影準備処理を実行する。この際、受信した位置情報などを基に、例えば、顔部分に合わせた露出制御や、顔部分のデジタルズーム処理などを行うようにしてもよい。また、受信した位置情報を基に、抽出した顔部分を囲む枠をスルー画像に重ねて表示するようにしてもよい。なお、撮影準備の際に、これらの処理を行うか否かは、操作部３１などを介してユーザが任意に設定できることが好ましい。
【００６５】
そして、ＣＰＵ５７は、レリーズボタン１２が全押しされたことに応じて撮影を実行する。上記の各処理は、デジタルカメラ２がＯＮ状態にある間中繰り返される。ロゴマーク１８の発光は、レンズバリア１５を閉じ位置に移動させてデジタルカメラ２の電源をＯＦＦにすることで消灯される。
【００６６】
このように、ロゴマーク１８の発光状態を変化させることで、デザイン性を損なうことなく顔が抽出されたことをユーザに報知することができる。この際、ロゴマーク１８は、デジタルカメラ２の前面に設けられているので、撮影レンズ１０を撮影者自身に向ける、いわゆる自分撮りの際に、顔が抽出されたか否かが分かりやすく、特に有用である。また、専用のランプなどを別途設ける必要が無いので、部品点数の削減を図ることもできる。
【００６７】
なお、本実施形態では、顔を抽出した際にだけロゴマーク１８を点滅させるようにしているが、例えば、被写体が外れるなどして顔の検出が途絶えた際などにロゴマーク１８を点滅させるようにしてもよい。また、顔抽出部８４が顔を抽出している間中（位置情報を受信している間中）ロゴマーク１８を点滅させるようにしてもよい。また、ロゴマーク１８による報知は、点滅に限ることなく、前述のように、発光色を変えるものでもよいし、光量を変えるものでもよい。
【００６８】
次に、図１０に示すフローチャートを参照しながら、本発明の第４の実施形態について説明する。デジタルカメラ２は、レンズバリア１５を開き位置に移動させることで電源がＯＮに設定される。デジタルカメラ２のＣＰＵ５７は、電源がＯＮになると、ＬＥＤドライバ７６にイルミネーション発光モードを設定し、一定の光量でロゴマーク１８を発光させる。また、ＣＰＵ５７は、ロゴマーク１８を発光させるとともに、ＣＣＤ５８や液晶パネル３０などの駆動を開始し、液晶パネル３０にスルー画像を表示させる。
【００６９】
ロゴマーク１８の発光やスルー画像の表示などを行ったＣＰＵ５７は、マクロ設定ボタン３７によってマクロ撮影モードが設定されたか否かを確認する。マクロ撮影モードが設定されていない場合、ＣＰＵ５７は、レリーズボタン１２の半押しに応じた撮影準備処理の実行と、レリーズボタン１２の全押しに応じた撮影の実行とを、電源がＯＦＦになるまで繰り返す。
【００７０】
一方、マクロ撮影モードが設定された場合、ＣＰＵ５７は、まず各レンズモータ５３、５５を駆動し、ズームレンズ５０、及びフォーカスレンズ５２をマクロ撮影の領域に移動させる。各レンズ５０、５２を移動させたＣＰＵ５７は、マクロ撮影用の制御信号をＬＥＤドライバ７６に送信し、マクロ撮影発光モードをＬＥＤドライバ７６に設定する。マクロ撮影発光モードが設定されたＬＥＤドライバ７６は、例えば、ＬＥＤ４２に印加する電圧を上げることによって、ロゴマーク１８の光量を上げる。ＣＰＵ５７は、このようにロゴマーク１８の光量を上げることにより、ロゴマーク１８をマクロ撮影時の照明として用いる。
【００７１】
ロゴマーク１８の光量を上げさせたＣＰＵ５７は、レリーズボタン１２が半押しされたことに応じてＡＥ処理やＡＦ処理などといった撮影準備処理を実行する。そして、ＣＰＵ５７は、レリーズボタン１２が全押しされたことに応じて撮影を実行する。上記の各処理は、デジタルカメラ２がＯＮ状態にある間中繰り返される。なお、図１０のフローチャートでは省略しているが、一度マクロ撮影発光モードが設定された後、マクロ撮影モードが解除された際には、発光モードをイルミネーション発光モードに設定し直し、ロゴマーク１８の光量を元の状態に戻す。また、ロゴマーク１８の発光は、レンズバリア１５を閉じ位置に移動させてデジタルカメラ２の電源をＯＦＦにすることで消灯される。
【００７２】
マクロ撮影モードの際にストロボ発光部１１を照明として用いると、被写体との距離が近いため、いわゆる白飛びの要因となる。対して、本実施形態で示すように、ＬＥＤ４２を光源としたロゴマーク１８の発光を照明として用いることにより、マクロ撮影時の白飛びを適切に防止することができる。
【００７３】
次に、図１１から図１４を用いて本発明の第５の実施形態を説明する。なお、上記各実施形態と機能・構成上同一のものについては、同符号を付し、詳細な説明を省略する。デジタルカメラ１００は、クレードル１４０にセットすることで充電が行われる。クレードル１４０には、カメラ本体４の形状に応じた略有底穴状の接続部１４２が設けられている。デジタルカメラ１００は、この接続部１４２にカメラ本体４を挿し込むことによって、クレードル１４０にセットされる。
【００７４】
接続部１４２の内底面には、デジタルカメラ１００との電気的な接続を得るためのプラグコネクタ１４４が設けられている。一方、デジタルカメラ１００の底面には、プラグコネクタ１４４に対応したソケットコネクタ１０２が設けられている。各コネクタ１０２、１４４は、デジタルカメラ１００をクレードル１４０にセットすることで互いに嵌合し、デジタルカメラ１００とクレードル１４０とを電気的に接続する。
【００７５】
また、クレードル１４０は、図示を省略したケーブルによってパーソナルコンピュータなどに接続される。これにより、デジタルカメラ１００は、クレードル１４０を介して充電が行われるとともに、クレードル１４０を介して画像データの転送などが行われる。
【００７６】
デジタルカメラ１００の電源周りの構成を図１２に示す。デジタルカメラ１００は、図示を省略したバッテリ収納室を有しており、このバッテリ収納室にバッテリ１０４が着脱自在に保持される。バッテリ１０４は、バッテリ収納室に設けられた電極を介してＤＣ／ＤＣコンバータ（ＤＣ／ＤＣ）１０６と電源制御回路１０８とに接続される。なお、このバッテリ１０４には、例えば、リチウムイオン電池などといった周知の二次電池を用いればよい。
【００７７】
ＤＣ／ＤＣ１０６は、バッテリ１０４の電圧をデジタルカメラ１００の各部に供給すべき所定の電圧に降圧、又は昇圧する。電源制御回路１０８には、レンズバリア１５が開き位置に移動したことを検出するリミットスイッチ１１０が接続されている。電源制御回路１０８は、このリミットスイッチ１１０の検出結果に応じて、ＤＣ／ＤＣ１０６の出力のＯＮ／ＯＦＦを制御する。これにより、レンズバリア１５を開き位置に移動させることで、ＤＣ／ＤＣ１０６によって変圧された電力がデジタルカメラ１００の各部に供給され、デジタルカメラ１００が起動する。
【００７８】
また、バッテリ１０４と電源制御回路１０８とは、ソケットコネクタ１０２に接続されている。バッテリ１０４は、デジタルカメラ１００がクレードル１４０にセットされた際に、ソケットコネクタ１０２を介して供給されるクレードル１４０からの電力によって充電される。電源制御回路１０８は、クレードル１４０からの電力供給の有無をモニタすることによって、デジタルカメラ１００がクレードル１４０にセットされたことを検出する。
【００７９】
電源制御回路１０８は、デジタルカメラ１００がクレードル１４０にセットされたことを検出すると、クレードル１４０からの電力をＤＣ／ＤＣ１０６に送り、デジタルカメラ１００を起動させる。また、電源制御回路１０８は、ＣＰＵ５７に接続されており、電源制御回路１０８は、前記検出に応じてデジタルカメラ１００を起動させるとともに、デジタルカメラ１００がクレードル１４０にセットされたことを示す検出信号をＣＰＵ５７に送信する。
【００８０】
さらに、電源制御回路１０８は、デジタルカメラ１００がクレードル１４０にセットされたことを検出すると、例えば、バッテリ１０４の電圧を測定したり、充電電流の積算値を算出したりすることにより、定期的にバッテリ１０４の充電量（残容量）を計算する。充電量を計算した電源制御回路１０８は、その充電量の情報をＣＰＵ５７に送信する。なお、本実施形態においては、電力供給の有無によってデジタルカメラ１００がクレードル１４０にセットされたこと検出するようにしているが、これに限ることなく、例えば、スイッチやセンサなどによって検出するようにしてもよい。
【００８１】
図１３に示すように、デジタルカメラ１００の回路基板４０には、レンズバリア１５を開き位置にした際にロゴマーク１８と対面する開き位置用ＬＥＤ（開き位置用照射部）１２０（図１３（ａ）参照）と、レンズバリア１５を閉じ位置にした際にロゴマーク１８と対面する閉じ位置用ＬＥＤ（閉じ位置用照射部）１２１（図１３（ｂ）参照）とが実装されている。また、各ＬＥＤ１２０、１２１の前方には、それぞれの照射光を透光板２２に案内する開き位置用ライトパイプ１２２と、閉じ位置用ライトパイプ１２３とが設けられている。これにより、デジタルカメラ１００は、各ＬＥＤ１２０、１２１を選択的に点灯させることで、レンズバリア１５がいずれの位置にある際にもロゴマーク１８を発光させることができる。なお、各ＬＥＤ１２０、１２１は、ＬＥＤドライバ７６を介してＣＰＵ５７に接続されており、ＣＰＵ５７によって点灯／消灯が制御される。
【００８２】
閉じ位置用ＬＥＤ１２１には、ＲＧＢ３色の発光素子を１パッケージに収めた３色ＬＥＤが用いられる。閉じ位置用ＬＥＤ１２１は、各発光素子の輝度を調節することにより、様々な色の光を照射する。デジタルカメラ１００は、例えば、充電の際に閉じ位置用ＬＥＤ１２１を点灯させ、バッテリ１０４の充電量に合わせて発光色を変えることにより、バッテリ１０４の充電状況をユーザに報知する。なお、閉じ位置用ＬＥＤ１２１は、３色ＬＥＤに限ることなく、２色ＬＥＤなどであってもよい。また、開き位置用ＬＥＤ１２０は、多色発光のＬＥＤでもよいし、単色発光のＬＥＤでもよい。
【００８３】
次に、図１４に示すフローチャートを参照しながら、上記構成によるデジタルカメラ１００の作用について説明する。レンズバリア１５を開き位置に移動させると、リミットスイッチ１１０によってその移動が検出される。レンズバリア１５が開き位置に移動したことをリミットスイッチ１１０が検出すると、電源制御回路１０８がＤＣ／ＤＣ１０６に電力供給を開始させる。これにより、デジタルカメラ１００の各部が起動し、デジタルカメラ１００の電源がＯＮになる。
【００８４】
起動したデジタルカメラ１００のＣＰＵ５７は、ＬＥＤドライバ７６にイルミネーション発光モードを設定する。イルミネーション発光モードが設定されたＬＥＤドライバ７６は、開き位置用ＬＥＤ１２０を点灯させ、一定の光量でロゴマーク１８を発光させる。また、ＣＰＵ５７は、ロゴマーク１８を発光させるとともに、ＣＣＤ５８や液晶パネル３０などの駆動を開始し、液晶パネル３０にスルー画像を表示させる。ロゴマーク１８の発光やスルー画像の表示などを行ったＣＰＵ５７は、レリーズボタン１２の半押しに応じた撮影準備処理の実行と、レリーズボタン１２の全押しに応じた撮影の実行とを、電源がＯＦＦになるまで繰り返す。
【００８５】
電源制御回路１０８は、リミットスイッチ１１０の検出結果を基にレンズバリア１５が閉じ位置に移動したことを確認すると、ＤＣ／ＤＣ１０６に電力供給を停止させ、デジタルカメラ１００の電源をＯＦＦにする。電源がＯＦＦになると、開き位置用ＬＥＤ１２０の印加電圧も当然途絶えるので、ロゴマーク１８が消灯される。
【００８６】
電源がＯＦＦになった状態でデジタルカメラ１００をクレードル１４０にセットすると、各コネクタ１０２、１４４が嵌合し、デジタルカメラ１００とクレードル１４０とが電気的に接続される。クレードル１４０は、別途接続されるパーソナルコンピュータやＡＣアダプタなどからデジタルカメラ１００に電力を供給し、デジタルカメラ１００のバッテリ１０４を充電する。
【００８７】
電源制御回路１０８は、クレードル１４０からの電力供給によってデジタルカメラ１００がクレードル１４０にセットされたことを検出すると、その電力をＤＣ／ＤＣ１０６に送り、デジタルカメラ１００を起動させる。起動したデジタルカメラ１００のＣＰＵ５７は、電源制御回路１０８からの検出信号を受信したことに応じてＬＥＤドライバ７６に充電状況報知モードを設定する。充電状況報知モードが設定されたＬＥＤドライバ７６は、閉じ位置用ＬＥＤ１２１を点灯させ、ロゴマーク１８を発光させる。
【００８８】
この際、ＬＥＤドライバ７６は、電源制御回路１０８から送られたバッテリ１０４の充電量の情報に基いて閉じ位置用ＬＥＤ１２１に含まれる各発光素子の輝度を調節することにより、バッテリ１０４の充電量に応じた色でロゴマーク１８を発光させる。ＬＥＤドライバ７６は、例えば、充電量の低い順に、青→水色→緑→黄→橙→赤（充電完了）のように色を変化させる。ＣＰＵ５７及びＬＥＤドライバ７６は、このようにロゴマーク１８の発光色を変化させることによって、バッテリ１０４の充電状態をユーザに報知する。
【００８９】
ロゴマーク１８の発光による充電状態の報知は、デジタルカメラ１００がクレードル１４０から取り外されるまで行われる。なお、発光色の変化は、ステップ的に行ってもよいし、グラデーション的に行ってもよい。
【００９０】
このように、ロゴマーク１８の発光状態を変化させることで、デザイン性を損なうことなくバッテリ１０４の充電状況をユーザに報知することができる。また、専用のランプなどを別途設ける必要が無いので、部品点数の削減を図ることもできる。なお、ロゴマーク１８による報知は、発光色の変化に限ることなく、前述のように、点滅でもよいし、光量を変えるものでもよい。また、本実施形態では、クレードル１４０を介してバッテリ１０４の充電を行うようにしているが、これに限ることなく、例えば、ＡＣアダプタなどを直接デジタルカメラ１００に接続して充電を行うようにしてもよい。
【００９１】
次に、図１５に示すフローチャートを参照しながら、本発明の第６の実施形態について説明する。レンズバリア１５を開き位置に移動させると、リミットスイッチ１１０によってその移動が検出される。レンズバリア１５が開き位置に移動したことをリミットスイッチ１１０が検出すると、電源制御回路１０８がＤＣ／ＤＣ１０６に電力供給を開始させる。これにより、デジタルカメラ１００の各部が起動し、デジタルカメラ１００の電源がＯＮになる。
【００９２】
起動したデジタルカメラ１００のＣＰＵ５７は、ＬＥＤドライバ７６にイルミネーション発光モードを設定する。イルミネーション発光モードが設定されたＬＥＤドライバ７６は、開き位置用ＬＥＤ１２０を点灯させ、一定の光量でロゴマーク１８を発光させる。また、ＣＰＵ５７は、ロゴマーク１８を発光させるとともに、ＣＣＤ５８や液晶パネル３０などの駆動を開始し、液晶パネル３０にスルー画像を表示させる。ロゴマーク１８の発光やスルー画像の表示などを行ったＣＰＵ５７は、レリーズボタン１２の半押しに応じた撮影準備処理の実行と、レリーズボタン１２の全押しに応じた撮影の実行とを、電源がＯＦＦになるまで繰り返す。
【００９３】
電源制御回路１０８は、リミットスイッチ１１０の検出結果を基にレンズバリア１５が閉じ位置に移動したことを確認すると、バッテリ１０４の電圧値や放電電流の積算値などに基いてバッテリ１０４の残容量を算出する。残容量を算出した電源制御回路１０８は、その残容量の情報をＣＰＵ５７に送信する。残容量の情報を受信したＣＰＵ５７は、その残容量の情報を含む制御信号をＬＥＤドライバ７６に送信し、ＬＥＤドライバ７６を残容量報知モードに設定する。残容量報知モードが設定されたＬＥＤドライバ７６は、閉じ位置用ＬＥＤ１２１に含まれる各発光素子の輝度を調節し、閉じ位置用ＬＥＤ１２１を点灯させる。ＣＰＵ５７、及びＬＥＤドライバ７６は、このようにバッテリ１０４の残容量に応じた色でロゴマーク１８を発光させることによって、バッテリ１０４の残容量をユーザに報知する。
【００９４】
また、ＬＥＤドライバ７６は、残容量の報知に必要な一定時間（数秒程度）だけロゴマーク１８を発光させた後、閉じ位置用ＬＥＤ１２１を消灯させる。電源制御回路１０８は、ＣＰＵ５７からの信号などによって残容量の報知が行われたことを確認した後、ＤＣ／ＤＣ１０６に電力供給を停止させ、デジタルカメラ１００の電源をＯＦＦにする。
【００９５】
このように、ロゴマーク１８の発光状態を変化させることで、デザイン性を損なうことなくバッテリ１０４の残容量をユーザに報知することができる。また、専用のランプなどを別途設ける必要が無いので、部品点数の削減を図ることもできる。さらに、液晶パネル３０などを用いることなく報知を行うことができるので、バッテリ１０４の無駄な電力消費を抑えることができる。なお、ロゴマーク１８による報知は、発光色の変化に限ることなく、前述のように、点滅でもよいし、光量を変えるものでもよい。
【００９６】
なお、本明細書では、デジタルカメラ２、１００の各動作状況毎に実施形態を分けて説明したが、本発明は、当然、一つのデジタルカメラ２、１００に各動作状況が含まれるものであってよい。また、上記各実施形態では、動作別発光モードとしてセルフタイマー報知モードやＡＦ報知モードなどを示したが、動作別発光モードは、これらに限るものではない。例えば、上記の他に、デジタルカメラ２の自己診断結果を報知（いわゆる、ダイアグノーシス）するモードなどを設けてもよい。
【００９７】
また、上記各実施形態では、ロゴマーク１８として、機種名を表す「Ｚ５」の文字列を示しているが、ロゴマーク１８は、これに限るものではなく、当然他の文字列であってもよいし、機種名を図案化したものなどであってもよい。さらに、ロゴマーク１８は、機種名を表すものに限らず、例えば、製造メーカの名称やマークを表すものなど、他の如何なるものを表すロゴであってもよい。
【００９８】
さらに、上記各実施形態では、横方向にスライド移動するレンズバリア１５を示したが、レンズバリア１５は、上下方向や斜め方向などにスライド移動するものであってもよい。さらに、レンズバリア１５は、スライド移動に限らず、例えば、ヒンジなどを介して回転移動するものなどであってもよい。
【００９９】
また、上記各実施形態では、光源としてのＬＥＤ４２をカメラ本体４側に設けるようにしているが、これに限ることなく、レンズバリア１５側に設けるようにしてもよい。但し、光源をレンズバリア１５側に設けると、カメラ本体４とレンズバリア１５との間で複雑な配線が必要となり、コストアップなどの要因となることが懸念される。また、光源は、ＬＥＤに限ることなく、レーザダイオードや電球、さらには有機ＥＬ素子など、他の如何なるものであってもよい。さらに、上記各実施形態では、ロゴマーク１８の発光色を変化させる際に、多色のＬＥＤを用いているが、発光色の変化は、これに限ることなく、単色の光源を複数配置してもよいし、フィルタなどを通すようにしてもよい。
【０１００】
さらに、上記各実施形態では、デジタルカメラに本発明を適用した例を示したが、本発明は、これに限ることなく、例えば、写真フイルムに被写体像を露光記録する、いわゆる銀塩カメラに本発明を適用してもよい。
【図面の簡単な説明】
【０１０１】
【図１】レンズバリアが開き位置にある状態を示すデジタルカメラの斜視図である。
【図２】レンズバリアが閉じ位置にある状態を示すデジタルカメラの斜視図である。
【図３】ロゴマークの構成を概略的に示す説明図である。
【図４】デジタルカメラの構成を概略的に示す背面図である。
【図５】カメラ本体の内部の構成を概略的に示す説明図である。
【図６】デジタルカメラの電気的構成の概略を示すブロック図である。
【図７】ロゴマークの発光をセルフタイマーの表示と兼用させる例を示すフローチャートである。
【図８】ロゴマークの発光をフォーカス合焦の報知と兼用させる例を示すフローチャートである。
【図９】ロゴマークの発光を顔抽出の報知と兼用させる例を示すフローチャートである。
【図１０】ロゴマークの発光をマクロ撮影の照明と兼用させる例を示すフローチャートである。
【図１１】デジタルカメラをクレードルにセットする例を示す斜視図である。
【図１２】デジタルカメラの電源周りの構成を概略的に示すブロック図である。
【図１３】開き位置用ＬＥＤと閉じ位置用ＬＥＤとを設けた例を示す説明図である。
【図１４】ロゴマークの発光を充電状態の報知と兼用させる例を示すフローチャートである。
【図１５】ロゴマークの発光を電池残容量の報知と兼用させる例を示すフローチャートである。
【符号の説明】
【０１０２】
２、１００  デジタルカメラ（カメラ）
４  カメラ本体（本体）
１０  撮影レンズ
１５  レンズバリア
１８  ロゴマーク
２０  切り抜き部
２２  透光板（透光部材）
４２  ＬＥＤ（光源）
５７  ＣＰＵ（発光制御手段）
５８  ＣＣＤ（撮像素子）
７６  ＬＥＤドライバ
８２  ＡＦ検出回路（オートフォーカス処理手段）
８３  タイマー回路（タイマー）
８４  顔抽出部（顔抽出手段）
１０４  バッテリ
１０８  電源制御回路
１２０  開き位置用ＬＥＤ（開き位置用照射部）
１２１  閉じ位置用ＬＥＤ（閉じ位置用照射部）
【図１】
2008134438.tif 000003
【図２】
2008134438.tif 000004
【図３】
2008134438.tif 000005
【図４】
2008134438.tif 000006
【図５】
2008134438.tif 000007
【図６】
2008134438.tif 000008
【図７】
2008134438.tif 000009
【図８】
2008134438.tif 000010
【図９】
2008134438.tif 000011
【図１０】
2008134438.tif 000012
【図１１】
2008134438.tif 000013
【図１２】
2008134438.tif 000014
【図１３】
2008134438.tif 000015
【図１４】
2008134438.tif 000016
【図１５】
2008134438.tif 000017